【手続補正書】
【提出日】平成20年3月10日(2008.3.10)
【手続補正１】
【補正対象書類名】明細書
【補正対象項目名】発明の名称
【補正方法】変更
【補正の内容】
【発明の名称】インターネットアプリケーションから、プリンタが接続されている家庭用アクセス装置へプリントデータを送信する方法及び装置
【手続補正２】
【補正対象書類名】明細書
【補正対象項目名】特許請求の範囲
【補正方法】変更
【補正の内容】
【特許請求の範囲】
【請求項１】
インターネットアプリケーションから、プリンタが接続されている家庭用アクセス装置へプリントデータを送信する方法において、
前記インターネットアプリケーションが、プリントデータを遠隔プリントサーバを介して前記家庭用アクセス装置へ送信するための許可を獲得するために、介在サービスと折衝する工程と、
許可が獲得された場合、前記インターネットアプリケーションが、前記許可が獲得されたプリントデータを前記遠隔プリントサーバを介して前記家庭用アクセス装置へ送信する工程と
を備えることを特徴とする方法。
【請求項２】
前記インターネットアプリケーションは第１のネットワークに常駐し、前記家庭用アクセス装置は第２のネットワークに常駐し、前記遠隔プリントサーバは前記第２のネットワークに常駐して、前記第１のネットワークと通信していることを特徴とする請求項１に記載の方法。
【請求項３】
前記インターネットアプリケーションがプリントデータを前記家庭用アクセス装置へ送信することを前記介在サービスが許可したことを前記遠隔プリントサーバに通知する工程を更に含むことを特徴とする請求項１に記載の方法。
【請求項４】
前記介在サービスと折衝する工程は、前記介在サービスが前記第２のネットワークにおける前記家庭用アクセス装置の場所に対応するアドレスを前記インターネットアプリケーションに提供することを含むことを特徴とする請求項２に記載の方法。
【請求項５】
前記介在サービスと折衝する工程は、前記介在サービスが前記インターネットアプリケーションに前記プリンタの種類と、前記プリンタのオプション及び能力に関連する情報とを提供することを含むことを特徴とする請求項１に記載の方法。
【請求項６】
前記家庭用アクセス装置のユーザに関連する識別情報に基づいて、特定の介在サービスに関連する識別情報を検索する工程を更に含むことを特徴とする請求項１に記載の方法。
【請求項７】
前記遠隔プリントサーバは、前記プリントデータが前記家庭用アクセス装置へ送信されたことの確認を前記インターネットアプリケーションに提供することを特徴とする請求項１に記載の方法。
【請求項８】
プリンタが接続されている家庭用アクセス装置へプリントデータを送信する装置において、
プリントデータを遠隔プリントサーバを介して前記家庭用アクセス装置へ送信するための許可を獲得するために、介在サービスと折衝する手段と、
許可が獲得された場合、前記許可が獲得されたプリントデータを前記遠隔プリントサーバを介して前記家庭用アクセス装置へ送信する手段と
を備えることを特徴とする装置。
【請求項９】
プリンタが接続されている家庭用アクセス装置へプリントデータを送信する手順をコンピュータに実行させるためのプログラムにおいて、
プリントデータを遠隔プリントサーバを介して前記家庭用アクセス装置へ送信するための許可を獲得するために、介在サービスと折衝する手順と、
許可が獲得された場合、前記インターネットアプリケーションが、前記許可が獲得されたプリントデータを前記遠隔プリントサーバを介して前記家庭用アクセス装置へ送信する手順と
をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、インターネットアプリケーションから、プリンタが接続されている家庭用アクセス装置へプリントデータを送信する方法及び装置に関する。
【手続補正４】
【補正対象書類名】明細書
【補正対象項目名】００４８
【補正方法】変更
【補正の内容】
【００４８】
ルックアップサービス３０４が第三者販売業者３０２に介在サービス３０５に関するＵＲＬなどの識別情報を提供すると(ステップＳ４０３)、流れはステップＳ４０４へ進み、第三者販売業者３０２はそのURLを使用することにより介在サービス３０５とコンタクトする。そこで、第三者販売業者３０２は、プリントジョブを在宅ユーザ３２０へプッシュする許可を獲得するために、介在サービス３０５との折衝に入る。この折衝は、在宅ユーザ３２０がそのプリントジョブを在宅ユーザ３２０のプリンタへ送信することを許可するか否かを判定することと、プリントジョブをプリントするために使用すべきプリンタの種類及びプリントオプションを判定することと、在宅ユーザ３２０のネットワーク上の場所を判定することと、必要であれば、プリントジョブを送信させるための費用に同意できるか否かを判定することと、許容できる支払額を提示できるか否かを判定することを含む。これらの折衝については、以下に図５に関して更に詳細に説明する。
【手続補正５】
【補正対象書類名】明細書
【補正対象項目名】００４９
【補正方法】変更
【補正の内容】
【００４９】
第三者販売業者３０２が在宅ユーザ３２０へプリントジョブをプッシュするための許可を求めて介在サービス３０５と折衝し、首尾良く認可を得られた場合(ステップＳ４０５)、流れはステップＳ４０６へ進み、介在サービス３０５はデジタルケーブルネットワーク３０６のＣＨＥ３１１とコンタクトし、この後、プリントジョブがデジタルケーブルネットワーク３０６を介して在宅ユーザ３２０へ送り出されるべきＣＨＥ３１１へ送信されたときにプリントジョブを受け入れるようにＣＰＳＩサーバ３１２に命令する。尚、折衝が成功しても、介在サービス３０５から第三者販売業者３０２へ直ちに認可が与えられるとは限らないことに注意すべきである。この認可の授与は、上記の命令(ステップＳ４０７)に応答して、ＣＰＳＩサーバ３１２が第三者販売業者３０２によりＣＰＳＩサーバ３１２へ送信されたプリントジョブを受け入れるように設定された後に行われるのが好ましい。ＣＰＳＩサーバ３１２は、優先選択ディレクトリ２１に格納されている在宅ユーザの優先選択に従ってあるプリントジョブが特定して許可された場合、又はＣＰＳＩサーバ３１２が認証された介在サービスによりプリントジョブを受け入れることを命令されている場合に限り、在宅ユーザを宛先とするそのプリントジョブを受け入れることにより、在宅ユーザのプリンタへのアクセスを制御するのが好ましい。第２の場合、ＣＰＳＩサーバ３１２は、認証された介在サービスの命令を受信してから限られた長さの時間内に許可されたプリントジョブの受け入れを許可するのが好ましく、その時間を過ぎると、ＣＰＳＩサーバ３１２はプリントジョブを受け入れなくなる。第三者販売業者３０２が在宅ユーザ３２０へプリントジョブをプッシュするための認可を求めて介在サービス３０５と折衝し、それが不成功に終わった場合(ステップＳ４０５)には、流れは終了に向かい(ステップＳ４１２)、プロセスは終了する。
【手続補正６】
【補正対象書類名】明細書
【補正対象項目名】００５１
【補正方法】変更
【補正の内容】
【００５１】
次に、介在サービス３０５は好ましくはインターネット３０１を介して第三者販売業者３０２とコンタクトし、折衝中に介在サービス３０５により在宅ユーザ３２０を宛先とするプリントジョブを送信するのに適する場所であると識別されたＣＨＥ３１１へプリントジョブを送信するための許可を第三者販売業者３０２に与える(ステップＳ４０８)。この許可は、特定のプリントジョブ要求を反映するためにカスタム化されており且つ限られた時間についてのみ有効であるトークンの形態をとるのが好ましい。そこで、第三者販売業者３０２はインターネット３０１を介してプリントジョブをＣＨＥ３１１へ送信し(ステップＳ４０９)、ＣＰＳＩサーバ３１２は先に介在サービス３０５により命令された通りにプリントジョブを受け入れる。このトークンはプリントジョブと共に第三者販売業者３０２によりＣＰＳＩサーバ３１２へ送信され、そこでＣＰＳＩサーバ３１２により検査され、真正であると判明したならば、ＣＰＳＩサーバ３１２により、先に受信された命令と関連させて在宅ユーザ３２０についてそのプリントジョブを受け入れるべきか否かを判定するために使用される。次に、ＣＨＥ３１１はプリントジョブを処理し、スプーリングし、デスプーリングして、プリントジョブを在宅ユーザ３２０のＳＴＢ３２２へ送信する。
【手続補正７】
【補正対象書類名】明細書
【補正対象項目名】００７８
【補正方法】変更
【補正の内容】
【００７８】
図１０を参照すると、第三者販売業者１００２から１００４と共にインターネット１００１が設けられている。更に、介在サービス１０２１から１０２３と共にルックアップサービス１０１０が設けられている。これらのエンティティは先に説明したと同様の動作を実行する。また、デジタルケーブルネットワーク１０３０、ＤＳＬネットワーク１０４０、無線ネットワーク１０５０、ＩＳＰゲートウェイ１０６０及びデジタル衛星ネットワーク１０７０を含む複数のネットワークも設けられている。図１０に示すそれぞれのネットワークは、先にデジタルケーブルネットワークに関して示した実施形態に類似する適切なプリンティングサービスインフラ構造を含む。例えば、デジタルケーブルネットワーク１０３０はＣＰＳＩ１０３５を含み、ＤＳＬネットワーク１０４０はＨＰＳＩモジュール１０４５を含み、無線ネットワーク１０５０はＨＰＳＩモジュール１０５５を含み、ＩＳＰゲートウェイ１０６０はＨＰＳＩモジュール１０６５を含み、デジタル衛星ネットワーク１０７０はＨＰＳＩモジュール１０７５を含む。このように、第三者販売業者１００２から１００４によるプッシュプリンティングを様々に異なるネットワークで支援でき、プリントジョブをそれらのネットワークを介して在宅ユーザへ送信することができる。